(57)【要約】【課題】胴体部分の径を小さくしても横枝管から流入口を介して胴体部分に勢いよく流れ込んだ排水が対面する位置に設けられた他の流入口に流れ込むことがない排水管路の排水構造およびこの排水構造に用いる排水継手を提供することを目的としている。【解決手段】少なくとも２つの横枝管が、排水継手の大径の胴体部分に対面して設けられた継手内への排水の流入口を備えた横枝管接続部に接続され、この対面する流入口に接続された２つの横枝管のうち少なくとも一方の横枝管が排水の水勢が強い衛生機器に接続されている排水管路の排水構造において、流入口から胴体部分内に横枝管から排水継手内に流入する排水を、対面する流入口からずれた位置に導くガイドが、排水継手内に設けられていることを特徴としている。【選択図】      図１
2004278099.tif 000002
【特許請求の範囲】
【請求項１】
少なくとも２つの横枝管が、排水継手の大径の胴体部分に対面して設けられた継手内への排水の流入口を備えた横枝管接続部に接続され、この対面する流入口に接続された２つの横枝管のうち少なくとも一方の横枝管が排水の水勢が強い衛生機器に接続されている排水管路の排水構造において、
流入口から胴体部分内に横枝管から排水継手内に流入する排水を、対面する流入口からずれた位置に導くガイドが、排水継手内に設けられていることを特徴とする排水管路の排水構造。
【請求項２】
胴体部分が大径になった部分に接続された横枝管からの排水の流入口を有する２つの横枝管接続部を備え、これら２つの横枝管接続部の流入口が略水平方向に対面して設けられている排水継手において、流入口から胴体部分内に流入する排水を、対面する流入口からずれた位置に導くガイドが、内部に設けられていることを特徴とする排水継手。
【発明の詳細な説明】
【０００１】
【発明の属する技術分野】
本発明は、排水管路の排水構造および排水継手に関する。
【０００２】
【従来の技術】
単管式排水システム等の排水縦管で用いられる多方向からの排水が流入可能な排水継手（特殊排水継手等）においては、上層階から流れてきた排水と、各階の排水設備から横枝管を通って流れてきた排水とが合流する際に、排水縦管内に形成された空気の通り芯（空気芯）が合流部にて阻害（閉塞）されないように、継手部の胴体部分を上下の縦管の径より大きくしたり、縦管内を流下する排水を旋回流にする工夫がなされている（特許文献１）。
また、この胴体部分の径は、実際の共同住宅等での配管の納まり（ＰＳへの納まり）を考慮して極力小さくすることが望まれている。
【０００３】
ところで、図６および図７に示すように、上記排水継手１００においては、胴体部分１１０の側面に、横枝管の排水の流入口１２１を備えた複数の横枝管接続部１２０が流入口１２１を略水平方向に対面させた状態で設けられている場合がある。
このような場合、図６に示すように、横枝管２００に水洗便器３００のように一度に多量の排水を排水するような機器が接続されている横枝管２００と、図７に示すように、流入口１２１から胴体部分１１０に流入する排水の水勢が強いため、胴体部分１１０の径を小さくしすぎると、対面する流入口１２１からこの流入口１２１が設けられた横枝管接続部１２０に接続された横枝管２００に排水が逆流する恐れがある。すなわち、逆流によって対面する他の横枝管２００に接続された他の住居または他の排水機器に接続された横枝管に逆流し、器具トラップの封水が破れたり、最悪の場合、居室に汚水があふれたりする恐れがある。
【０００４】
したがって、上述のトラブルを避けるために、排水継手の胴体部分の径を十分に小さくできなかったり、対面方向での接続がある排水管路が設計できないのが現状である。
【０００５】
【特許文献１】特開平９−１５８２７６号公報
【０００６】
【発明が解決しようとする課題】
本発明は、上記事情に鑑みて、胴体部分の径を小さくしても横枝管から流入口を介して胴体部分に勢いよく流れ込んだ排水が対面する位置に設けられた他の流入口に流れ込むことがない排水管路の排水構造およびこの排水構造に用いる排水継手を提供することを目的としている。
【０００７】
【課題を解決するための手段】
上記目的を達成するために、本発明にかかる排水管路の排水構造は、少なくとも２つの横枝管が、排水継手の大径の胴体部分に対面して設けられた継手内への排水の流入口を備えた横枝管接続部に接続され、この対面する流入口に接続された２つの横枝管のうち少なくとも一方の横枝管が排水の水勢が強い衛生機器に接続されている排水管路の排水構造において、流入口から胴体部分内に横枝管から排水継手内に流入する排水を、対面する流入口からずれた位置に導くガイドが、排水継手内に設けられていることを特徴としている。
【０００８】
また、本発明にかかる排水継手は、胴体部分が大径になった部分に接続された横枝管からの排水の流入口を有する２つの横枝管接続部を備え、これら２つの横枝管接続部の流入口が略水平方向に対面して設けられている排水継手において、流入口から胴体部分内に流入する排水を、対面する流入口からずれた位置に導くガイドが、内部に設けられていることを特徴としている。
【０００９】
【発明の実施の形態】
以下に、本発明を、その実施の形態をあらわす図面を参照しつつ詳しく説明する。
図１は、本発明にかかる排水管路の排水構造および排水継手の第１の実施の形態をあらわしている。
【００１０】
すなわち、この排水構造は、排水継手Ａがその大径になった胴体部分１の側面に胴体部分１への排水の流入口２１を有する２つの横枝管接続部２ａ，２ｂがその流入口２１、２２を水平方向に対面させるように設けられている。また、胴体部分１の内側には、４分の１球状をしたガイド３ａが一方の流入口２１の上側半分を前方で覆うように一体に設けられている。
そして、この流入口２１の前方にガイド３ａが設けられた横枝管接続部２ａに水洗便器等の一時に多量の排水が排水される機器（図示せず）に接続された横枝管４ａが接続され、他方の横枝管接続部２ｂに一時に多量の排水が流れない機器に接続された横枝管４ｂが接続されている。
【００１１】
この排水構造は、以上のようになっており、水洗便器等から排水された水勢の強い排水は、図１に矢印で示すように、流入口２１から胴体部分１に流入しようとするとき、流入口２１の前方に設けられたガイド３ａによって図で矢印でしましたように流入口２２からすれるように下方にガイドされ、対面する流入口２２に流れ込むことがない。
したがって、胴体部分１の径を十分に小さくして、実際の共同住宅等での配管の納まり（ＰＳへの納まり）を良好なものとすることができる。
【００１２】
また、上記排水継手Ａは、予め上記ガイド３ａを一体に備えているので、横枝管を通常のように接続するだけで上記排水構造とすることができる。
【００１３】
図２は本発明にかかる排水管路の排水構造および排水継手の第２の実施の形態をあらわしている。
図２に示すように、この排水構造は、排水継手Ｂに設けられたガイド３ｂが半円錐の側面形状をしている以外は、上記第１の実施の形態と同様になっている。
【００１４】
図３は本発明にかかる排水管路の排水構造および排水継手の第３の実施の形態をあらわしている。
図３に示すように、この排水構造は、排水継手Ｃが、上記第１の実施の形態と同様になっている。ガイド３ａが前方に設けられた流入口２３の下端部２３ａが切り欠かれている以外は、上記第１の実施の形態と同様になっている。
【００１５】
すなわち、この排水構造によれば、流入口２３の下端部２３ａが切り欠かれているので、よりスムーズに排水が下方にガイドされるようになる。
【００１６】
図４は本発明にかかる排水管路の排水構造および排水継手の第４の実施の形態をあらわしている。
図４に示すように、この排水構造は、排水継手Ｄが、胴体部分１の側面に４つの横枝管接続部２ｃ〜２ｆを備えている。そして、横枝管接続部２ｃと横枝管接続部２ｄとがその流入口２４，２５を水平方向に対面させるとともに、横枝管接続部２ｅと横枝管接続部２ｆとが、その流入口２６ａ，２６ｂを水平方向に対面させるように設けられている。また、胴体部分１の内側には、ガイド３ｄが１つの流入口２４の一方の側壁部分の前方で覆うように一体に設けられている。
【００１７】
そして、この流入口２４の前方にガイド３ｄが設けられた横枝管接続部２ｃに水洗便器等の一時に多量の排水が排水される機器（図示せず）に接続された横枝管４ａが接続され、その他の横枝管接続部２ｄ〜２ｆに一時に多量の排水が流れない機器に接続された横枝管４ｂが接続されている以外は、上記第１の実施の形態と同様になっている。
【００１８】
すなわち、この排水構造は、以上のようになっており、水洗便器等から排水された水勢の強い排水は、図４に矢印で示すように、流入口２４から胴体部分１に流入しようとするとき、流入口２４の前方に設けられたガイド３ｄで胴体部分１の流入口２５と流入口２６ａとの間の流入口２５からずれた位置である胴体部分１の内壁面１１に当たるようにガイドされ、対面する流入口２５に流れ込むことがない。
したがって、胴体部分１の径を十分に小さくして、実際の共同住宅等での配管の納まり（ＰＳへの納まり）を良好なものとすることができる。
【００１９】
図５は本発明にかかる排水管路の排水構造および排水継手の第５の実施の形態をあらわしている。
図５に示すように、この排水構造は、排水継手Ｅが、胴体部分１の側面に４つの横枝管接続部２ｇ〜２ｊを備えている。そして、横枝管接続部２ｇと横枝管接続部２ｈとがその流入口２７，２８を水平方向に対面させるとともに、横枝管接続部２ｉと横枝管接続部２ｊとが、その流入口２９ａ，２９ｂを水平方向に対面させるように設けられている。また、流入口２７の底面には、排水を左右に分岐して流す三角柱や三角錐状をしたガイド３ｅが一体に設けられている。
【００２０】
そして、この流入口２７の底面にガイド３ｅが設けられた横枝管接続部２ｇに水洗便器等の一時に多量の排水が排水される機器（図示せず）に接続された横枝管４ａが接続され、その他の横枝管接続部２ｈ〜２ｊに一時に多量の排水が流れない機器に接続された横枝管４ｂが接続されている以外は、上記第１の実施の形態と同様になっている。
【００２１】
すなわち、この排水構造は、以上のようになっており、水洗便器等から排水された水勢の強い排水は、図５に矢印で示すように、ガイド３ｅによって左右に分岐され、流入口２７からずれた位置である流入口２８と流入口２９ａとの間のる胴体部分１の内壁面１２および流入口２８と流入口２９ｂとの間の胴体部分１の内壁面１３に当たるようにガイドされ、対面する流入口２８に流れ込むことがない。
したがって、胴体部分１の径を十分に小さくして、実際の共同住宅等での配管の納まり（ＰＳへの納まり）を良好なものとすることができる。
【００２２】
本発明は、上記の実施の形態に限定されない。たとえば、上記の排水構造はいずれもガイドが予め排水継手に一体に設けられていたが、既存の構造の排水継手に施工現場でガイドとなるアタッチメントを取り付けるようにしても構わない。また、上記の実施の形態では、ガイドが１つしか設けられていなかったが、各流入口にガイドを設けるようにしても構わない。
【００２３】
【発明の効果】
本発明にかかる排水管路の排水構造は、以上のように構成されているので、胴体部分の径を小さくしても横枝管から流入口を介して胴体部分に勢いよく流れ込んだ排水が対面する位置に設けられた他の流入口に流れ込むことがない。したがって、実際の共同住宅等での配管の納まり（ＰＳへの納まり）を良好なものとすることができる。
また、本発明にかかる排水継手は、予め上記ガイド３ａを一体に備えているので、横枝管を通常のように接続するだけで本発明排水構造とすることができる。
【図面の簡単な説明】
【図１】本発明にかかる排水管路の排水構造および排水継手の第１の実施の形態をあらわす排水継手部分の縦断面図である。
【図２】本発明にかかる排水管路の排水構造および排水継手の第２の実施の形態をあらわす排水継手部分の縦断面図である。
【図３】本発明にかかる排水管路の排水構造および排水継手の第３の実施の形態をあらわす排水継手部分の縦断面図である。
【図４】本発明にかかる排水管路の排水構造および排水継手の第４の実施の形態をあらわす排水継手部分の横縦断面図である。
【図５】本発明にかかる排水管路の排水構造および排水継手の第１の実施の形態をあらわす排水継手部分の横断面図である。
【図６】排水管路の説明図である。
【図７】従来の排水継手の縦断面図である。
【符号の説明】
Ａ，Ｂ，Ｃ，Ｄ，Ｅ  排水継手
１  胴体部分
２ａ，２ｂ，２ｃ，２ｄ，２ｅ，２ｆ，２ｇ，２ｈ，２ｉ，２ｊ  横枝管接続部
３ａ，３ｃ，３ｄ，３ｄ，３ｅ  ガイド
４ａ、４ｂ  横枝管
２１，２２，２３，２４，２５  流入口
２６ａ，２６ｂ，２７，２８，２９ａ，２９ｂ
【図１】
2004278099.tif 000003
【図２】
2004278099.tif 000004
【図３】
2004278099.tif 000005
【図４】
2004278099.tif 000006
【図５】
2004278099.tif 000007
【図６】
2004278099.tif 000008
【図７】
2004278099.tif 000009